(57)【特許請求の範囲】
【請求項１】
（ａ）圧力制御装置付き試料注入口と、
（ｂ）前記試料注入口に接続したＧＣ１次元目カラムと、
（ｃ）前記ＧＣ１次元目カラムに接続した３方コネクタＴ１−２と、
（ｄ）前記３方コネクタＴ１−２に各々接続した３方コネクタＴ１−１、Ｔ１−３と、
（ｅ）前記３方コネクタＴ１−１、Ｔ１−３に接続し、３方コネクタＴ１−１、Ｔ１−３の流路を調整するソレノイドバルブと、
（ｆ）前記ソレノイドバルブに接続した第１の圧力制御装置と、
（ｇ）前記３方コネクタＴ１−３に接続する３方コネクタＴ２−１と、
（ｈ）前記３方コネクタＴ２−１に接続する第２の圧力制御装置と、
（ｉ）前記３方コネクタＴ２−１に接続する３方コネクタＴ２−２と、
（ｊ）前記３方コネクタＴ２−２に接続する３方コネクタＴ２−３と、
（ｋ）前記３方コネクタＴ２−３に各々接続する質量分析器およびにおい嗅ぎ装置と、
（ｌ）前記３方コネクタＴ１−１と前記３方コネクタＴ２−２に接続するＧＣ２次元目カラムと、
を備えることを特徴とするにおい成分分析装置。
【請求項２】
（ａ）圧力制御装置付き試料注入口と、
（ｂ）前記試料注入口に接続したＧＣ１次元目カラムと、
（ｃ）前記ＧＣ１次元目カラムに接続した３方コネクタＴ１−２と、
（ｄ）前記３方コネクタＴ１−２に各々接続した３方コネクタＴ１−１、Ｔ１−３と、
（ｅ）前記３方コネクタＴ１−１、Ｔ１−３に接続し、３方コネクタＴ１−１、Ｔ１−３の流路を調整するソレノイドバルブと、
（ｆ）前記ソレノイドバルブに接続した圧力制御装置ＦＰＲ１と、
（ｇ）前記３方コネクタＴ１−３に接続する５方コネクタと、
（ｈ）前記５方コネクタにそれぞれ接続する圧力制御装置ＦＰＲ２、ＧＣ２次元目カラム、質量分析器およびにおい嗅ぎ装置と、
を備えることを特徴とするにおい成分分析装置。
【請求項３】
１次元目カラム部分のみおよび／または２次元目カラム部分のみを、温度調整する装置を有する、請求項１または２に記載のにおい成分分析装置。
【請求項４】
（ａ）圧力制御装置付き試料注入口と、
（ｂ）前記試料注入口に接続したＧＣ１次元目カラムと、
（ｃ）前記ＧＣ１次元目カラムに接続した３方コネクタＴ１−２と、
（ｄ）前記３方コネクタＴ１−２に各々接続した３方コネクタＴ１−１、Ｔ１−３と、
（ｅ）前記３方コネクタＴ１−１、Ｔ１−３に接続し、３方コネクタＴ１−１、Ｔ１−３の流路を調整するソレノイドバルブと、
（ｆ）前記ソレノイドバルブに接続した第１の圧力制御装置と、
（ｇ）前記３方コネクタＴ１−３に接続する３方コネクタＴ２−１と、
（ｈ）前記３方コネクタＴ２−１に接続する第２の圧力制御装置と、
（ｉ）前記３方コネクタＴ２−１に接続する３方コネクタＴ２−２と、
（ｊ）前記３方コネクタＴ２−２に接続する３方コネクタＴ２−３と、
（ｋ）前記３方コネクタＴ２−３に各々接続する質量分析器およびＧＣ検出器と、
（ｌ）前記３方コネクタＴ１−１と前記３方コネクタＴ２−２に接続するＧＣ２次元目カラムと、
を備えることを特徴とする分析装置。
【請求項５】
（ａ）圧力制御装置付き試料注入口と、
（ｂ）前記試料注入口に接続したＧＣ１次元目カラムと、
（ｃ）前記ＧＣ１次元目カラムに接続した３方コネクタＴ１−２と、
（ｄ）前記３方コネクタＴ１−２に各々接続した３方コネクタＴ１−１、Ｔ１−３と、
（ｅ）前記３方コネクタＴ１−１、Ｔ１−３に接続し、３方コネクタＴ１−１、Ｔ１−３の流路を調整するソレノイドバルブと、
（ｆ）前記ソレノイドバルブに接続した第１の圧力制御装置と、
（ｇ）前記３方コネクタＴ１−３に接続する５方コネクタと、
（ｈ）前記５方コネクタにそれぞれ接続する第２の圧力制御装置、ＧＣ２次元目カラム、質量分析器およびＧＣ検出器と、
を備えることを特徴とする分析装置。
【請求項６】
１次元目カラム部分のみおよび／または２次元目カラム部分のみを、温度調整する装置を有する、請求項４または５に記載の分析装置。
【請求項７】
ＧＣ検出器が、ＦＩＤ、ＮＰＤ、ＥＣＤ、ＳＣＤ、ＮＣＤ、ＡＥＤ、ＦＰＤ、およびＰＦＰＤからなる群から選択される請求項４〜６のいずれかに記載の分析装置。
【請求項８】
（ａ）圧力制御装置付き試料注入口と、
（ｂ）前記試料注入口に接続したＧＣ１次元目カラムと、
（ｃ）前記ＧＣ１次元目カラムに接続した３方コネクタＴ１−２と、
（ｄ）前記３方コネクタＴ１−２に各々接続した３方コネクタＴ１−１、Ｔ１−３と、
（ｅ）前記３方コネクタＴ１−１、Ｔ１−３に接続し、３方コネクタＴ１−１、Ｔ１−３の流路を調整するソレノイドバルブと、
（ｆ）前記ソレノイドバルブに接続した第１の圧力制御装置と、
（ｇ）前記３方コネクタＴ１−３に接続する３方コネクタＴ２−１と、
（ｈ）前記３方コネクタＴ２−１に接続する第２の圧力制御装置と、
（ｉ）前記３方コネクタＴ２−１に接続する３方コネクタＴ２−２と、
（ｊ）前記３方コネクタＴ２−２に接続する質量分析器と、
（ｋ）前記３方コネクタＴ１−１と前記３方コネクタＴ２−２に接続するＧＣ２次元目カラムと、
を備えることを特徴とする分析装置。
【請求項９】
１次元目カラム部分のみおよび／または２次元目カラム部分のみを、温度調整する装置を有する、請求項８に記載の分析装置。
【発明の詳細な説明】
【技術分野】
【０００１】
本発明は、ガスクロマトグラフ質量分析装置（ＧＣ−ＭＳ）に関する。さらに詳しくは、ＧＣ−ＭＳにおいて、装置構成を変更することなく、ガスクロマトグラフ装置（ＧＣ）を１次元あるいは２次元に容易に切り替えることにより、目的とする成分の同定を行うことができる装置に関する。また、本発明は、ＧＣ−ＭＳおよびにおい嗅ぎ装置を用いた装置において、装置構成を変更することなく、ＧＣを１次元あるいは２次元に容易に切り替えることにより、におい成分の同定を行うことができる装置に関する。また、同一装置の構成により、におい嗅ぎ装置を他のＧＣ検出器に置き換えることにより、汎用的な化学物質の同定装置として使用する事も可能である。
【背景技術】
【０００２】
近年、消費者の食の安全、健康影響などに関する関心の高まりなどを受けて、食品、飲料、香料、包装容器、自動車、自動車部品メーカーなど多くの業種に１次元ＧＣ−ＭＳ／におい嗅ぎ装置が導入されている。このにおい成分の分析においては、ＧＣや、ＧＣ−ＭＳを用い、ＧＣ出口部分に取り付けて使用するにおい嗅ぎ装置（非特許文献１）と組合せて分析を行うことで、同定分析を行っている（１次元ＧＣ−ＭＳ／におい嗅ぎ分析、図１、図２参照）。
【０００３】
しかしながら、分析に求められる要求は益々高まり、より微量のにおい成分に対する分析技術が求められるため、１次元ＧＣ−ＭＳ／におい嗅ぎ装置のみでは分離不十分であり、これらの成分を分離するための２次元ＧＣ−ＭＳ／におい嗅ぎ装置への要求が高まっている。この２次元分析においては、１台のＧＣでは分離不十分な場合に、２台目のＧＣを接続した２次元ＧＣ（非特許文献２、３）を用い、同じく２台目のＧＣ出口に質量分析器（ＭＳ）、そしてにおい嗅ぎ装置をつけて、同定分析を行っている（２次元ＧＣ−ＭＳ／におい嗅ぎ分析、図３、図４参照）。
【０００４】
しかしながら、これらの１次元ＧＣ−ＭＳ／におい嗅ぎ分析装置と、２次元ＧＣ−ＭＳ／におい嗅ぎ装置は別々の装置であり、分離不十分な成分の分析と同定を行う際には、高額な装置を２システム保有する必要がある。
【０００５】
また、におい分析以外の一般分析においても、同様に１台のＧＣで分離が不十分な場合には、別の２次元ＧＣシステムを用いて分析を行う必要がある。
【特許文献１】特開２００５−２９１７１５
【非特許文献１】ＧＥＲＳＴＥＬ社加熱脱着導入システムカタログ、１６，１７ページ
【非特許文献２】ＧＥＲＳＴＥＬ社エクセレントソリューションカタログ、１４，１５ページ
【非特許文献３】丸善株式会社  ガスクロ自由自在、８９ページ
【発明の開示】
【発明が解決しようとする課題】
【０００６】
本発明の課題は、ＧＣ−ＭＳにおいて、装置構成を変更することなく、簡単な切り替え操作のみによって、１次元ＧＣ分析と２次元ＧＣ分析を行えるようにすることにある。また、２次元ＧＣ−ＭＳ／におい嗅ぎ装置において、装置構成を変更することなく、簡単な切り替え操作のみによって、１次元ＧＣ−ＭＳ／におい嗅ぎ分析と、２次元ＧＣ−ＭＳ／におい嗅ぎ分析を自由自在に行えるようにすることにある。また、におい分析以外の用途においても、１次元ＧＣ分析と２次元ＧＣ分析を切り替えて行うことを、可能にすることにある。
【課題を解決するための手段】
【０００７】
本発明者らは、２次元ＧＣ−ＭＳ／におい嗅ぎ装置内に、特定の流路制御を行う機構を組み込むことにより、装置構成を変更することなく、簡単な切り替え操作のみによって、１次元ＧＣ−ＭＳ／におい嗅ぎ分析と、２次元ＧＣ−ＭＳ／におい嗅ぎ分析を自由自在に行えることを見出した。また同様に、特定の流路制御を行う機構を組み込むことにより、装置構成を変更することなく１次元ＧＣ−ＭＳと２次元ＧＣ−ＭＳによる分析を行えることを見出した。
【０００８】
即ち、本発明は、（ａ）圧力制御装置付き試料注入口と、（ｂ）前記試料注入口に接続したＧＣ１次元目カラムと、（ｃ）前記ＧＣ１次元目カラムに接続した３方コネクタＴ１−２と、（ｄ）前記３方コネクタＴ１−２に各々接続した３方コネクタＴ１−１、Ｔ１−３と、（ｅ）前記３方コネクタＴ１−１、Ｔ１−３に接続し、３方コネクタＴ１−１、Ｔ１−３の流路を調整するソレノイドバルブと、（ｆ）前記ソレノイドバルブに接続した第１の圧力制御装置と、（ｇ）前記３方コネクタＴ１−３に接続する３方コネクタＴ２−１と、（ｈ）前記３方コネクタＴ２−１に接続する第２の圧力制御装置と、（ｉ）前記３方コネクタＴ２−１に接続する３方コネクタＴ２−２と、（ｊ）前記３方コネクタＴ２−２に接続する３方コネクタＴ２−３と、（ｋ）前記３方コネクタＴ２−３に各々接続する質量分析器およびにおい嗅ぎ装置と、（ｌ）前記３方コネクタＴ１−１と前記３方コネクタＴ２−２に接続するＧＣ２次元目カラムと、を備えることを特徴とするにおい成分分析装置である。
また、本発明は、（ａ）圧力制御装置付き試料注入口と、（ｂ）前記試料注入口に接続したＧＣ１次元目カラムと、（ｃ）前記ＧＣ１次元目カラムに接続した３方コネクタＴ１−２と、（ｄ）前記３方コネクタＴ１−２に各々接続した３方コネクタＴ１−１、Ｔ１−３と、（ｅ）前記３方コネクタＴ１−１、Ｔ１−３に接続し、３方コネクタＴ１−１、Ｔ１−３の流路を調整するソレノイドバルブと、（ｆ）前記ソレノイドバルブに接続した圧力制御装置ＦＰＲ１と、（ｇ）前記３方コネクタＴ１−３に接続する５方コネクタと、（ｈ）前記５方コネクタにそれぞれ接続する圧力制御装置ＦＰＲ２、ＧＣ２次元目カラム、質量分析器およびにおい嗅ぎ装置と、を備えることを特徴とするにおい成分分析装置である。
また、本発明は、１次元目カラム部分のみおよび／または２次元目カラム部分のみを、温度調整する装置を有する、上記のにおい成分分析装置である。
また、本発明は、（ａ）圧力制御装置付き試料注入口と、（ｂ）前記試料注入口に接続したＧＣ１次元目カラムと、（ｃ）前記ＧＣ１次元目カラムに接続した３方コネクタＴ１−２と、（ｄ）前記３方コネクタＴ１−２に各々接続した３方コネクタＴ１−１、Ｔ１−３と、（ｅ）前記３方コネクタＴ１−１、Ｔ１−３に接続し、３方コネクタＴ１−１、Ｔ１−３の流路を調整するソレノイドバルブと、（ｆ）前記ソレノイドバルブに接続した第１の圧力制御装置と、（ｇ）前記３方コネクタＴ１−３に接続する３方コネクタＴ２−１と、（ｈ）前記３方コネクタＴ２−１に接続する第２の圧力制御装置と、（ｉ）前記３方コネクタＴ２−１に接続する３方コネクタＴ２−２と、（ｊ）前記３方コネクタＴ２−２に接続する３方コネクタＴ２−３と、（ｋ）前記３方コネクタＴ２−３に各々接続する質量分析器およびＧＣ検出器と、（ｌ）前記３方コネクタＴ１−１と前記３方コネクタＴ２−２に接続するＧＣ２次元目カラムと、を備えることを特徴とする分析装置である。
また、本発明は、（ａ）圧力制御装置付き試料注入口と、（ｂ）前記試料注入口に接続したＧＣ１次元目カラムと、（ｃ）前記ＧＣ１次元目カラムに接続した３方コネクタＴ１−２と、（ｄ）前記３方コネクタＴ１−２に各々接続した３方コネクタＴ１−１、Ｔ１−３と、（ｅ）前記３方コネクタＴ１−１、Ｔ１−３に接続し、３方コネクタＴ１−１、Ｔ１−３の流路を調整するソレノイドバルブと、（ｆ）前記ソレノイドバルブに接続した第１の圧力制御装置と、（ｇ）前記３方コネクタＴ１−３に接続する５方コネクタと、（ｈ）前記５方コネクタにそれぞれ接続する第２の圧力制御装置、ＧＣ２次元目カラム、質量分析器およびＧＣ検出器と、を備えることを特徴とする分析装置である。
また、本発明は、１次元目カラム部分のみおよび／または２次元目カラム部分のみを、温度調整する装置を有する、上記の分析装置である。
また、本発明は、ＧＣ検出器が、ＦＩＤ、ＮＰＤ、ＥＣＤ、ＳＣＤ、ＮＣＤ、ＡＥＤ、ＦＰＤ、およびＰＦＰＤからなる群から選択される上記の分析装置である。
また、本発明は、（ａ）圧力制御装置付き試料注入口と、（ｂ）前記試料注入口に接続したＧＣ１次元目カラムと、（ｃ）前記ＧＣ１次元目カラムに接続した３方コネクタＴ１−２と、（ｄ）前記３方コネクタＴ１−２に各々接続した３方コネクタＴ１−１、Ｔ１−３と、（ｅ）前記３方コネクタＴ１−１、Ｔ１−３に接続し、３方コネクタＴ１−１、Ｔ１−３の流路を調整するソレノイドバルブと、（ｆ）前記ソレノイドバルブに接続した第１の圧力制御装置と、（ｇ）前記３方コネクタＴ１−３に接続する３方コネクタＴ２−１と、（ｈ）前記３方コネクタＴ２−１に接続する第２の圧力制御装置と、（ｉ）前記３方コネクタＴ２−１に接続する３方コネクタＴ２−２と、（ｊ）前記３方コネクタＴ２−２に接続する質量分析器と、（ｋ）前記３方コネクタＴ１−１と前記３方コネクタＴ２−２に接続するＧＣ２次元目カラムと、を備えることを特徴とする分析装置である。
また、本発明は、１次元目カラム部分のみおよび／または２次元目カラム部分のみを、温度調整する装置を有する、上記の分析装置である。
【発明の効果】
【０００９】
本発明によれば、２次元ＧＣ−ＭＳ／におい嗅ぎ装置において、装置構成を変更することなく、簡単な切り替え操作のみによって、１次元ＧＣ−ＭＳ／におい嗅ぎ分析と、２次元ＧＣ−ＭＳ／におい嗅ぎ分析を自由自在に行えるようになる。また、本発明によれば、におい分析以外の分析においても、１次元ＧＣ分析と２次元ＧＣ分析を切り替えて行うことが、可能となる。
【発明を実施するための最良の形態】
【００１０】
本発明を図面を参照して、説明する。図５に本発明のにおい成分分析装置の概略を示す。図５において、本発明のにおい成分分析装置は、（ａ）圧力制御装置付き試料注入口５１と、（ｂ）圧力制御装置付き試料注入口５１に接続したＧＣ１次元目カラム５５と、（ｃ）ＧＣ１次元目カラム５５に接続した３方コネクタＴ１−２と、（ｄ）３方コネクタＴ１−２に各々接続した３方コネクタＴ１−１、Ｔ１−３と、（ｅ）３方コネクタＴ１−１、Ｔ１−３に接続するソレノイドバルブ５４と、（ｆ）ソレノイドバルブ５４に接続した圧力制御装置５２と、（ｇ）３方コネクタＴ１−３に接続する３方コネクタＴ２−１と、（ｈ）３方コネクタＴ２−１に接続する圧力制御装置５３と、（ｉ）３方コネクタＴ２−１に接続する３方コネクタＴ２−２と、（ｊ）３方コネクタＴ２−２に接続する３方コネクタＴ２−３と、（ｋ）３方コネクタＴ２−３に各々接続する質量分析器４３およびにおい嗅ぎ装置４４と、（ｌ）３方コネクタＴ１−１と３方コネクタＴ２−２に接続するＧＣ２次元目カラム５６を備える。また、試料注入口５１、圧力制御装置５２、ソレノイドバルブ５４、３方コネクタＴ１−１、Ｔ１−２、Ｔ１−３およびＧＣ１次元目カラム５５は、１次元目ガスクロマトグラフ装置４１を構成する。そして、圧力制御装置５３、３方コネクタＴ２−１、Ｔ２−２、Ｔ２−３およびＧＣ２次元目カラム５６は、２次元目ガスクロマトグラフ装置４２を構成する。そして、本発明のにおい成分分析装置は、ガスクロマトグラフ装置４１および４２にそれぞれ接続する制御用コンピュータ４５から構成される。
【００１１】
次に、本発明のにおい成分分析装置の作用について説明する。まず、ＧＣ１次元カラムのみによる、分析方法について説明する。図６において、分析対象となる試料を、圧力制御装置付き試料注入口５１から注入する。この際の試料注入口の圧力Ｐ０は、３方コネクタＴ１−２における圧力Ｐ１より高く設定されている。圧力制御装置付き試料注入口５１から注入された試料は、ＧＣ１次元目カラム５５に導入され、保持時間に応じて分離され、３方コネクタＴ１−２をとおり３方コネクタＴ１−３を経由して、２次元目ガスクロマトグラフ装置４２に導入される。尚、ソレノイドバルブ５４は、スイッチがＯＦＦの状態にあり、圧力制御装置５２から流入する移動相ガスは、３方コネクタＴ１−１を通り、３方コネクタＴ１−２およびＧＣ２次元目カラム５６に導入されるよう分離して流れる。このため、ＧＣ１次元目カラム５５から流出した試料は、ＧＣ２次元目カラム５６に導入されることなく、３方コネクタＴ２−１に導入されることとなる。そして、ＧＣ１次元目カラム５５で分離された試料は、３方コネクタＴ２−１、Ｔ２−２、Ｔ２−３を経て、質量分析器４３およびにおい嗅ぎ装置４４に分かれて導入される。ここで、質量分析器４３にて、質量分析が行われ、また、同時ににおい嗅ぎ装置４４により、におい物質の検出が行われる。なお、Ｔ２−２では、ＧＣ２次元目カラム５６を通過した移動相ガスが混合されるが、この移動相ガスには、試料成分が混入しておらず、質量分析器４３およびにおい嗅ぎ装置４４における検出に影響を与えるものではない。以上によりＧＣ１次元目のカラムのみを用いた分析が、本装置により行われる。
【００１２】
次に、ＧＣ１次元カラムの他に、ＧＣ２次元目カラムを用いた分析方法について説明する。例えば図４に示すように、ＧＣ１次元目カラムによる分離において、異臭を感じたが、共存成分に埋もれて同定ができない場合には、目的とする試料をＧＣ１次元目カラムを用いて分離した後、その分離した試料部分をＧＣ２次元目カラムに導入する。即ち、図６に示すように、まず、ＧＣ１次元目カラム５５により試料を分離した後、先の分析において異臭を感じた部分の保持時間に達した場合、図７に示すようにソレノイドバルブ５４をＯＮにする。すると、圧力制御装置５２から供給される移動相ガスが、３方コネクタＴ１−３に導入され、ＧＣ１次元目カラム５５から供給される、目的とする試料成分の含まれる移動相ガスが３方コネクタＴ１−２に導入されて、３方コネクタＴ１−３から導入される移動相ガスと混合され、３方コネクタＴ１−１に供給される。このとき、圧力制御装置５２から３方コネクタＴ１−３に供給された移動相ガスは、一部が３方コネクタＴ１−２に、残りが３方コネクタＴ２−１に導入される。３方コネクタＴ１−１から出た試料ガスは、ＧＣ２次元目カラム５６に導入に導入され、各成分に分離されて、３方コネクタＴ２−２に導入される。３方コネクタＴ２−２では、３方コネクタＴ１−３から供給された移動相ガスと試料ガスとが混合され、３方コネクタＴ２−３を通って質量分析装置４３、およびにおい嗅ぎ装置４４にそれぞれ供給される。これにより、図４に示すように、２次元目カラムを用いてにおい成分を同定することが可能となる。なお、試料成分をＧＣ２次元目カラム５６に導入し終えたところで、ソレノイドバルブ５４を再びＯＦＦにすると同時に圧力制御装置付き試料注入口５１の圧力Ｐ０を３方コネクタＴ１−２の圧力Ｐ１より低くすることにより、ＧＣ１次元目カラム５５に残った他の試料成分は圧力制御装置付き試料注入口５１に戻され、そのまま排気される。これにより、目的としない他の成分が、質量分析器４３やにおい嗅ぎ装置４４に流入するのを防ぐことができる。なお、これらのバルブの制御や圧力制御装置は、制御用コンピュータ４５によって、制御させてもよい。
【００１３】
以上のようにして、１つの装置を用いて、ＧＣ１次元におい分析、およびＧＣ２次元におい分析を、装置構成を変更することなく、簡単な切り替え操作により行うことができるようになる。
【００１４】
次に本発明の他の態様につて説明する。本発明の他の態様としては、図６におけるにおい嗅ぎ装置４４に替えて、ＧＣ検出器７０を接続する（図９参照）。図９において、各装置の作用は、ＧＣ検出器７０を除き、図６におけるものと同一であるので、説明を省略する。本装置において、ＧＣ検出器７０は、ＧＣ１次元目カラム５５のみを用いて分離された試料につき、質量分析装置４３とともに、ＧＣの検出を行うことができる。そして、ソレノイドバルブ５４を切り替えることにより、特定部分の試料についてＧＣ２次元目カラム５６により、さらに分離された試料について、質量分析装置４３とともに、ＧＣの検出を行うことができる。
【００１５】
なお、ＧＣ検出器７０における検出装置としては、特に限定はないが、例えば、ＦＩＤ（水素炎イオン化検出器）、ＮＰＤ（窒素リン検出器）、ＥＣＤ（電子捕獲型検出器）、ＳＣＤ（イオウ炎化学発光検出器）、（ＮＣＤ）窒素炎化学発光検出器、ＡＥＤ（原子発光検出器）、ＦＰＤ（炎光光度検出器）、およびＰＦＰＤ（パルスド炎光光度検出器）等を挙げることができる。
【００１６】
次に、本発明の装置の他の態様について説明する。図１０において、本発明の分析装置は、図９における３方コネクタＴ２−１、Ｔ２−２、Ｔ２−３に替えて、５方コネクタ８０を用いた例である。５方コネクタ８０に替えることにより、より簡潔な装置とすることができる。なお、図１０において、ＧＣ検出器７０に替えて、図６におけるにおい嗅ぎ装置４４を用いてにおい分析装置とすることもできる。
【００１７】
図１１において、本発明の別の態様について説明する。図６と比較した場合、ＧＣ１次元目カラム５５、ＧＣ２次元目カラム５６が、流路制御部９０から突出し、おのおのカラムヒータ９２および９４により、温度調整されている。また、図６と比較して、３方コネクタＴ２−１、Ｔ２−２、Ｔ２−３に替えて、５方コネクタ８０を用いている。この構成に替えることにより、より簡潔な装置とすることができる。
【００１８】
次に、本発明の装置の他の態様について説明する。図１２に本発明の分析装置の概略を示す。図１２において、本発明の分析装置は、（ａ）圧力制御装置付き試料注入口５１と、（ｂ）圧力制御装置付き試料注入口５１に接続したＧＣ１次元目カラム５５と、（ｃ）ＧＣ１次元目カラム５５に接続した３方コネクタＴ１−２と、（ｄ）３方コネクタＴ１−２に各々接続した３方コネクタＴ１−１、Ｔ１−３と、（ｅ）３方コネクタＴ１−１、Ｔ１−３に接続するソレノイドバルブ５４と、（ｆ）ソレノイドバルブ５４に接続した圧力制御装置５２と、（ｇ）３方コネクタＴ１−３に接続する３方コネクタＴ２−１と、（ｈ）３方コネクタＴ２−１に接続する圧力制御装置５３と、（ｉ）３方コネクタＴ２−１に接続する３方コネクタＴ２−２と、（ｊ）３方コネクタＴ２−２に接続する質量分析器４３と、（ｋ）３方コネクタＴ１−１と３方コネクタＴ２−２に接続するＧＣ２次元目カラム５６を備える。また、試料注入口５１、圧力制御装置５２、ソレノイドバルブ５４、３方コネクタＴ１−１、Ｔ１−２、Ｔ１−３およびＧＣ１次元目カラム５５は、１次元目ガスクロマトグラフ装置４１を構成する。そして、圧力制御装置５３、３方コネクタＴ２−１、Ｔ２−２およびＧＣ２次元目カラム５６は、２次元目ガスクロマトグラフ装置４２を構成する。そして、本発明の分析装置は、ガスクロマトグラフ装置４１および４２にそれぞれ接続する制御用コンピュータ４５から構成される。
【００１９】
次に、本発明の分析装置の作用について説明する。まず、ＧＣ１次元カラムのみによる、分析方法について説明する。図１２において、分析対象となる試料を、圧力制御装置付き試料注入口５１から注入する。この際の試料注入口の圧力Ｐ０は、３方コネクタＴ１−２における圧力Ｐ１より高く設定されている。圧力制御装置付き試料注入口から注入された試料は、ＧＣ１次元目カラムに導入され、保持時間に応じて分離され、３方コネクタＴ１−２をとおり３方コネクタＴ１−３を経由して、２次元目ガスクロマトグラフ装置４２に導入される。尚、ソレノイドバルブ５４は、スイッチがＯＦＦの状態にあり、圧力制御装置５２から流入する移動相ガスは、３方コネクタＴ１−１を通り、３方コネクタＴ１−２およびＧＣ２次元目カラム５６に導入されるよう分離して流れる。このため、ＧＣ１次元目カラム５５から流出した試料は、ＧＣ２次元目カラム５６に導入されることなく、３方コネクタＴ２−１に導入されることとなる。そして、ＧＣ１次元目カラム５５で分離された試料は、３方コネクタＴ２−１、Ｔ２−２を経て、質量分析器４３に導入される。ここで、質量分析器４３にて、質量分析が行われる。なお、Ｔ２−２では、ＧＣ２次元目カラム５６を通過した移動相ガスが混合されるが、この移動相ガスには、試料成分が混入しておらず、質量分析器４３における検出に影響を与えるものではない。以上によりＧＣ１次元目のカラムのみを用いた分析が、本装置により行われる。
【００２０】
次に、ＧＣ１次元カラムの他に、ＧＣ２次元目カラムを用いた分析方法について説明する。ＧＣ１次元目カラムによる分離において、共存成分が複数あり同定ができない場合には、目的とする試料をＧＣ１次元目カラムを用いて分離した後、その分離した試料部分をＧＣ２次元目カラムに導入する。即ち、図１２に示すように、まず、ＧＣ１次元目カラム５５により試料を分離した後、先の分析における共存部分の保持時間に達した場合、ソレノイドバルブ５４をＯＮにする。すると、圧力制御装置５２から供給される移動相ガスが、３方コネクタＴ１−３に導入され、ＧＣ１次元目カラム５５から供給される、目的とする試料成分の含まれる移動相ガスが３方コネクタＴ１−２に導入されて、３方コネクタＴ１−３から導入される移動相ガスと混合され、３方コネクタＴ１−１に供給される。このとき、圧力制御装置５２から３方コネクタＴ１−３に供給された移動相ガスは、一部が３方コネクタＴ１−２に、残りが３方コネクタＴ２−１に導入される。３方コネクタＴ１−１から出た試料ガスは、ＧＣ２次元目カラム５６に導入に導入され、各成分に分離されて、３方コネクタＴ２−２に導入される。３方コネクタＴ２−２では、３方コネクタＴ１−３から供給された移動相ガスと試料ガスとが混合され、質量分析装置４３に供給される。これにより、２次元目カラムを用いて目的とする成分を同定することが可能となる。なお、試料成分をＧＣ２次元目カラム５６に導入し終えたところで、ソレノイドバルブ５４を再びＯＦＦにすると同時に圧力制御装置付き試料注入口５１の圧力Ｐ０を３方コネクタＴ１−２の圧力Ｐ１より低くすることにより、ＧＣ１次元目カラム５５に残った他の試料成分は圧力制御装置付き試料注入口５１に戻され、そのまま排気される。これにより、目的としない他の成分が、質量分析器４３に流入するのを防ぐことができる。なお、これらのバルブの制御や圧力制御装置は、制御用コンピュータ４５によって、制御させてもよい。
【００２１】
以上のようにして、１つの装置を用いて、ＧＣ１次元分析、およびＧＣ２次元分析を、装置構成を変更することなく、簡単な切り替え操作により行うことができるようになる。
【産業上の利用可能性】
【００２２】
本発明によれば、２次元ＧＣ−ＭＳ／におい嗅ぎ装置において、装置構成を変更することなく、簡単な切り替え操作のみによって、１次元ＧＣ−ＭＳ／におい嗅ぎ分析と、２次元ＧＣ−ＭＳ／におい嗅ぎ分析を自由自在に行えるようになる。また、本発明によれば、におい分析以外の用途においても、１次元ＧＣ分析と２次元ＧＣ分析を切り替えて行うことが、可能となる。
【図面の簡単な説明】
【００２３】
【図１】図１は、１次元のガスクロマトグラフ−質量分析器を用いたにおい嗅ぎ装置を示す図である。
【図２】図２は、１次元のガスクロマトグラフ−質量分析器を用いたにおい嗅ぎ装置を用いた、分析例である。
【図３】図３は、２次元のガスクロマトグラフ−質量分析器を用いたにおい嗅ぎ装置を示す図である。
【図４】図４は、２次元のガスクロマトグラフを用いた場合の分析例である。
【図５】図５は、本発明の構成を示す図である。
【図６】図６は、本発明の作用を示す図である。
【図７】図７は、本発明の作用を示す図である。
【図８】図８は、本発明の作用を示す図である。
【図９】図９は、本発明の他の態様を示す図である。
【図１０】図１０は、本発明の他の態様を示す図である。
【図１１】図１１は、本発明の他の態様を示す図である。
【図１２】図１２は、本発明の他の態様を示す図である。
【符号の説明】
【００２４】
１  ガスクロマトグラフ
２  質量分析器
３  試料注入口
４  カラム
５  スプリッタ
６  におい嗅ぎ装置
２１  １次元目ガスクロマト装置
２２  ２次元目ガスクロマト装置
２５  ＧＣ１次元目カラム
２６  抵抗管
２７  ＤＥＡＮＳ方式による流路切り替え
２８  ＧＣ２次元目カラム
Ｔ１−１、Ｔ１−２、Ｔ１−３、Ｔ２−１、Ｔ２−２、Ｔ２−３  ３方コネクタ
４１  １次元目ガスクロマトグラフ装置
４２  ２次元目ガスクロマトグラフ装置
４３  質量分析器
４４  におい嗅ぎ装置
４５  制御用コンピュータ
５１  圧力制御装置付き試料注入口
５２、５３  圧力制御装置
５４  ソレノイドバルブ
５５  ＧＣ１次元目カラム
５６  ＧＣ２次元目カラム
７０  ＧＣ検出器
８０  ５方コネクタ
９０  流路制御部
９２  １次元目カラム用ヒータ
９４  ２次元目カラム用ヒータ
【図１】
0004533940.tif 000002
【図２】
0004533940.tif 000003
【図３】
0004533940.tif 000004
【図４】
0004533940.tif 000005
【図５】
0004533940.tif 000006
【図６】
0004533940.tif 000007
【図７】
0004533940.tif 000008
【図８】
0004533940.tif 000009
【図９】
0004533940.tif 000010
【図１０】
0004533940.tif 000011
【図１１】
0004533940.tif 000012
【図１２】
0004533940.tif 000013